(57)【要約】      （修正有）【課題】先端金具を用いることなく、木口部分が美しく全体として一枚板のような外観を呈し、ドアやパネルに用いる木板部材を提供する。【解決手段】木板部材１は、ＭＤＦ２、ＭＤＦ３、ＬＶＬ４、およびペーパーハニカム１５からなる木質芯材１６と、木質芯材１６の両側面に接着された１対の木質面材５と、木質面材５の外側面に接着された１対のメラミン樹脂板６とを備えてなる。ＭＤＦ２、１対の木質面材５、および１対のメラミン樹脂板６のそれぞれの端面により木口９が形成され、木口９はエナメル塗膜７で被覆され、エナメル塗膜７は、木口を構成する構成材間の境目が塗膜表面に現われない膜厚Ｔで形成されている。木口９は平面視で円弧状に膨出した凸曲面に形成されている。【選択図】図２
0003156585.tif 000002
【実用新案登録請求の範囲】
【請求項１】
木質芯材と、該木質芯材の両側面に接着された１対の木質面材と、各木質面材の外側面に接着された１対の表面化粧板材とを備えてなる木板部材であって、
木質芯材、１対の木質面材、および１対の表面化粧板材のそれぞれの端面により木口が形成され、該木口は、合成樹脂製または天然物由来の塗膜で被覆され、該塗膜は、木口を構成する構成材間の境目が塗膜表面に現われない膜厚で形成されていることを特徴とする木板部材。
【請求項２】
木口が、平面視で曲面に形成されている請求項１に記載の木板部材。
【請求項３】
合成樹脂製の塗膜が、ウレタンエナメル塗料で構成されている請求項１または請求項２に記載の木板部材。
【請求項４】
木板部材が、トイレブースを構成するパネル、および／または、該パネルにより構成されるトイレブースの出入口を開閉するドア、である請求項１から請求項３のいずれか一項に記載の木板部材。
【考案の詳細な説明】
【技術分野】
【０００１】
本考案は、例えばドア、壁板、間仕切りなどの建具として用いられる木板部材に関するものである。
【背景技術】
【０００２】
従来、この種の木板部材としては、例えばフラッシュパネルが知られている。かかるフラッシュパネルは、例えば、単板積層材（Laminated Veneer Lumber、以下ＬＶＬと略称する）、木質中密度繊維板（Medium Density Fiberboard、以下ＭＤＦと略称する）、ペーパーハニカム、無垢材、パーティクルボード、オリエンティッド・ストランドボード（Oriented Strand Board、以下ＯＳＢと略称する）などの木質芯材の両側面に、ＭＤＦなどから成る木質面材がそれぞれ接着剤で貼着され、更に各木質面材の外側面にそれぞれ熱硬化性合成樹脂板が接着剤で貼着されて構成されている。前記のＭＤＦは、原料の木材チップを蒸煮解繊し、これに合成樹脂を加えて板状ないし柱状に成形したものであり、ＬＶＬは、無垢材をスライスして得た多数の薄単板を接着剤で貼り合せて成る積層材である。
【０００３】
一方で、我が国における住宅建材の分野では、建材デザインの向上化に目覚しいものがある。特に、ホテル、オフィスビル、マンションなどのトイレブースに使用されるドアやパネルなどの木板部材は、見た目にシンプルで美しく、清潔感をもたらすものが嘱望されている。このような木板部材を用いたトイレブースは、下記の特許文献１〜４に記載されている。これらの文献のうちの一例を図７および図８に示す。図において、トイレブース６２は、壁５８に固定されたパネル５１Ｃ，５１Ｃの先端にパネル５１Ａ，５１Ｂが組み付けられ、パネル５１Ａ，５１Ｂ間はブース内６３に出入りするための出入口６４となっている。出入口６４は、パネル５１Ｂの先端近傍位置で枢軸５７により枢支されたドア５１により開閉される。これらのドア５１およびパネル５１Ａ，５１Ｂでは、ＬＶＬ、ＭＤＦなどの木質芯材５２，５２，・・・の両側面に、ＭＤＦなどの木質面材５３，５３がそれぞれ接着剤で貼着され、更に木質面材５３，５３の外側面にそれぞれメラミン樹脂板５９，５９が接着剤で貼着されることにより、それぞれの原料木板が構成される。これら原料木板の各端面の木口はいずれも凹入して形成されている。この木口の凹入部にアルミニウム製の先端金具５４，５４，５５，５６が装着されてビス止めされることにより、木口面を隠して美観を向上させている。そして、メラミン樹脂板５９，５９の外表面７１，７１は、木目調や無地カラーの印刷が施されていることが多い。
【先行技術文献】
【特許文献】
【０００４】
【特許文献１】特開平０８−２１００３５号公報
【特許文献２】特開２００２−１０６０９１号公報
【特許文献３】特開２００４−２９３２３５号公報
【特許文献４】特開２００５−１０５５６１号公報
【考案の概要】
【考案が解決しようとする課題】
【０００５】
ところで、上記従来のドア５１やパネル５１Ａ，５１Ｂでは、それぞれの木口に先端金具５４，５５，５６が装着されている。そのために、先端金具５４，５５，５６とメラミン樹脂板５９との境目７０が、人目につきやすいメラミン樹脂板５９の外表面７１に隣接することとなる。そのために、たとえメラミン樹脂板５９の外表面７１に美しいデザインが施されていたとしても、アルミニウム色の先端金具５４，５５，５６に目が行って美しいデザインが台無しになるという不具合があった。
【０００６】
本考案は、上記した従来の問題点に鑑みてなされたものであって、先端金具を用いることなく、木口部分が美しく全体として一枚板のような外観を呈する木板部材の提供を目的とする。
【課題を解決するための手段】
【０００７】
上記目的を達成するために、本考案者は数多くの試験を鋭意重ねた結果、所定膜厚の塗膜を用いて木口を被覆することにより、塗膜の表面に木口の構成材間の境目起因の段差が現われないことを見出して、本考案を完成するに至ったのである。
すなわち、本考案に係る木板部材は、木質芯材と、該木質芯材の両側面に接着された１対の木質面材と、各木質面材の外側面に接着された１対の表面化粧板材とを備えてなる木板部材であって、木質芯材、１対の木質面材、および１対の表面化粧板材のそれぞれの端面により木口が形成され、該木口は、合成樹脂製または天然物由来の塗膜で被覆され、該塗膜は、木口を構成する構成材間の境目が塗膜表面に現われない膜厚で形成されているものである。
【０００８】
前記の表面化粧板材としては、例えば熱硬化性合成樹脂板、熱可塑性合成樹脂板、プリント紙、無垢木板などを用いることができる。そして、熱硬化性合成樹脂板としては、例えばメラミン樹脂板、ユリア樹脂板、フェノール樹脂板、エポキシ樹脂板、不飽和ポリエステル樹脂板などを用いることが可能である。また、熱可塑性合成樹脂としては、例えばポリエチレン、ポリプロピレン、ポリ塩化ビニル、ポリスチレンなどを使用することができる。無垢木板としては，例えばヒノキ、オウシュウアカマツ、カラマツ、スギ、ポプラなどを使用することができる。
【０００９】
前記塗膜を構成する合成樹脂製塗料としては、例えばラッカー塗料、エナメル塗料などを用いることができる。また、天然物由来塗料としては、例えばウルシ、カシュー、ツバキ、クルミ、亜麻仁油などを使用することができる。前記塗膜の膜厚は例えば１〜１００μｍとすることが好ましい。塗膜の膜厚が１μｍを下回ると、塗膜における木口の継ぎ目を被う部分に段差が現われるおそれがある。一方、塗膜の膜厚が１００μｍを超えると、乾燥・固化後にひび割れなどを生じやすくなるとともに塗料コストが高騰するという不具合がある。
【００１０】
また、前記構成において、木口が平面視で曲面に形成されているものである。
【００１１】
そして、前記した各構成において、合成樹脂製の塗膜がウレタンエナメル塗料で構成されているものである。
【００１２】
更に、前記した各構成において、木板部材は、トイレブースを構成するパネル、および／または、該パネルにより構成されるトイレブースの出入口を開閉するドアとしたものである。
【考案の効果】
【００１３】
本考案に係る木板部材によれば、木質芯材、１対の木質面材、および１対の表面化粧板材のそれぞれの端面により木口が形成されるので、両側の表面化粧板材で構成される広く目立つ平面部分に継ぎ目が存在せず、プレーンな美観を呈する。また、構成材間の境目が存在する木口は、合成樹脂製または天然物由来の塗膜で被覆され、この塗膜は所定の膜厚で形成されているので、木口を構成する構成材間の境目を被っている部分の塗膜表面に段差が現われない。従って、複数部品の継ぎ目に起因する段差がなく、あたかも全体として一枚板で構成されているような外観を見せて美しい。
【００１４】
また、木口が平面視で曲面に形成されている場合、平板の荷姿で市場供給される熱硬化性合成樹脂板で曲面木口を被うことは現実的でない。しかしながら、塗膜であれば曲面木口であっても強固に密着させて被うことができる。
【００１５】
そして、塗膜がウレタンエナメル塗料で構成されているものでは、ラッカー塗料を用いた塗膜と比べて、顔料を含有したエナメル塗膜で被われているので外部から透けて見えない。また、ウレタンエナメル塗料製の塗膜は、厚い塗膜を形成できる肉持ち性、耐溶剤性、耐黄変性、および耐候性が優れており、塗膜硬度の高いエナメル塗膜が得られ、耐久性の高い木板部材を提供することができる。
【００１６】
更に、これらの木板部材は、トイレブースを構成するパネル、および／または、該パネルにより構成されるトイレブースの出入口を開閉するドアに適用すると、個々のパネルやドアが、継ぎ目がなくあたかも一枚板のようで美しいことはもとより、これらのパネルとドアを組み合わせることにより、見た目に統一感のあるトイレブースの美観を呈して好適である。
【図面の簡単な説明】
【００１７】
【図１】本考案の一実施形態に係る木板部材の例となるドアを示す部分斜視図である。
【図２】前記ドアを示す部分平面図である。
【図３】前記ドアの原料木板を示す部分平面図である。
【図４】前記ドアの木口を示す正面図である。
【図５】前記ドアとパネルを用いたトイレブースの部分平面図である。
【図６】前記ドアとパネルを用いたトイレブースの部分背面図である。
【図７】従来のドアとパネルを用いたトイレブースの部分平面図である。
【図８】従来のドアを示す部分斜視図である。
【考案を実施するための形態】
【００１８】
本考案の実施形態を図面に基づいて説明する。尚、以下に述べる実施形態は本考案を具体化した一例に過ぎず、本考案の技術的範囲を限定するものでない。図１は本考案の一実施形態に係るドアを示す部分斜視図、図２は前記ドアを示す部分平面図である。
各図において、この実施形態に係る木板部材としてのドア１は、例えばトイレブ−スに使用されるドアを示している。このドア１では、木質芯材であるＭＤＦ２、ＭＤＦ３、ＬＶＬ４、およびペーパーハニカム１５（後出の図５参照）のそれぞれの両側面に、木質面材である１対のＭＤＦ５，５が接着剤で接着されている。更に、これら１対のＭＤＦ５，５の外側面に、表面化粧板材である１対のメラミン樹脂板６，６が接着剤で接着されている。
【００１９】
ＭＤＦ２、１対のＭＤＦ５，５、および１対のメラミン樹脂板６，６のそれぞれの端面は、いずれも同一面に現われていて、木口９を形成している。この木口９は平面に見て中央部が膨出した円弧状の凸曲面に形成されており、エナメル塗膜７で被覆されている。このエナメル塗膜７は、両側端部のメラミン樹脂板６，６を被う部分の膜厚が薄くなっているが、それら以外の部分の膜厚は例えばほぼ３０μｍである。特に、木口９における、ＭＤＦ２とＭＤＦ５の境目、およびＭＤＦ５とメラミン樹脂板６の境目を被う部分のエナメル塗膜７の膜厚は例えば１μｍ以上１００μｍ以下にしてある。そして、メラミン樹脂板６，６およびエナメル塗膜７の外表面は、例えば木目調などの模様が例えばシルクスクリーン印刷で形成された印刷面８となっている。
【００２０】
上記のように構成されたドア１は、例えば次のようにして製作される。ここでは、材料の接着に、例えばコニシボンド社製の湿気硬化型反応性ホットメルト接着剤（品名：ボンドＫＵＭ３１５０シリーズ、常温で固体）を用いてある。このホットメルト接着剤を１１０℃に加熱して溶融させ、ロールコーターなどを用いて、図３に示すように、ＭＤＦ２２、ＭＤＦ３、ＬＶＬ４、およびペーパーハニカム１５のそれぞれの片面に塗り付けた。その後直ちに、ＭＤＦ２２、ＭＤＦ３、ＬＶＬ４、およびペーパーハニカム１５をプレス機で圧着させて木質芯材１６を得た。
【００２１】
上記のホットメルト接着剤は、常温では固体であるために取り扱いが極めて楽であり、圧着後２秒間程度の短時間で強固に固化した。但し、ホットメルト接着剤に替えて、ポリ酢酸ビニル系微粒子が水中に分散して成るポリ酢酸ビニルエマルジョン系接着剤を用いて接着させることも可能である。因みに、ポリ酢酸ビニルエマルジョン系接着剤を用いた場合は、完全固化までに約１０日間かかる。他方で、上記の部材の接着に釘やビスを用いても構わない。
【００２２】
そして、木質芯材１６の両側面に平板状のＭＤＦ２５，２５をホットメルト接着剤で接着した。更に、これらのＭＤＦ２５，２５の両側面に薄平板状のメラミン樹脂板２６，２６をホットメルト接着剤で接着して、原料木板３１を得た。この原料木板３１の端面には、ＭＤＦ２２、両側のＭＤＦ２５，２５、両側のメラミン樹脂板２６，２６のそれぞれの端面が現われている。すなわち、原料木板３１の端面は、平面に見て直線状の木口３０となっている。
【００２３】
そこで、原料木板３１端部のＭＤＦ２２、ＭＤＦ２５，２５、およびメラミン樹脂板２６，２６の端部を切削して、２点鎖線で示す平面視の曲面Ａのような木口９にすると、ＭＤＦ２２がＭＤＦ２となり、ＭＤＦ２５，２５がＭＤＦ５，５となり、メラミン樹脂板２６，２６がメラミン樹脂板６，６となって、トイレブース３２のドア１用の中途部材１７が得られる。図４はこのドア１用の中途部材１７の正面図である。尚、原料木板３１端部のＭＤＦ２２、ＭＤＦ２５，２５、およびメラミン樹脂板２６，２６を切削して、２点鎖線で示す曲面Ｂのような木口９Ａにすると、トイレブース３２のパネル１Ａ用の中途部材が得られる。
【００２４】
一般に、エナメル塗料は顔料を含有した塗料であり、このエナメル塗料が塗られた被塗布面は外部から透けて見えない、いわゆる「塗りつぶし」の状態にされる。そこで、前記のように得られたドア１用の中途部材１７の木口９に、エナメル塗料が塗布される。ここで用いたエナメル塗料は、例えばポリオールとイソシアネートとからなるプレポリマーを含む第１液と、前記プレポリマーを硬化させる触媒であるアミン化合物を含む第２液とを塗布直前に混ぜて使用する２液式のウレタンエナメル塗料であり、例えば日本ペイント社製のファインウレタンＵ１００を用いてある。ここでは、ウレタンエナメル塗料を塗料用シンナーで５〜１０％に希釈したものを、下塗りおよび上塗りとして少なくとも２回以上ハケで塗布した。但し、下塗りとしては、例えば日本ペイント社製の浸透性シーラを無希釈で塗布しても構わない。このように塗布されたウレタンエナメル塗料は、常温で３時間程度放置して乾燥させることにより、固化してウレタンエナメル塗膜７となる。ウレタンエナメル塗料のシンナー希釈率および塗布回数は、最終的に得られる、木口９，９Ａ，９Ｂを被う部分のエナメル塗膜７の膜厚Ｔが例えば１μｍ以上１００μｍ以下となるように適宜調整される。
【００２５】
上記のように製作されたドア１を用いたトイレブース３２を、図５および図６に示す。このトイレブース３２は、ドア１と、ドア１の遊動端側に配置されるパネル１Ａと、ドア１の枢支端側に配置されてパネル１Ａとの間に出入口３４が形成されるパネル１Ｂとを備えている。ドア１は、枢支側端部の上面と下面に設けた枢軸１０，１０によりトイレブース３２の床面近傍および天井に回動自在（矢印Ｒ方向）に枢支されており、トイレブース３２の出入口３４を開閉するようになっている。ドア１およびパネル１Ａのブース内３３側には、鍵１１が設けられている。鍵１１は、ドア１の背面に固設された支持部材１２と、この支持部材１２に横方向（矢印Ｆ方向）摺動自在に装着されたスライド部材１３と、パネル１Ａの背面に固設されてスライド部材１３を係脱自在に係止する係止部材１４とから構成されている。
【００２６】
ドア１における中途部材１７の遊動端側の端面および枢支端側の端面は、いずれも平面視で凸曲面状の木口９，９となっている。そして、パネル１Ａにおける中途部材の木口９Ａは平面に見て中途部材の一側部が突出した凹曲面に形成されている。パネル１Ｂにおける中途部材の木口９Ｂは平面に見て中央部が陥入した円弧状の凹曲面に形成されている。そして、それぞれの木口９，９，９Ａ，９Ｂは、いずれも上記のエナメル塗膜７で被覆されている。尚、パネル１Ａ，１Ｂにおける木口９Ａ，９Ｂ以外の構造は、前に詳述したドア１とほぼ同じ構造である。
【００２７】
以上説明したように、この実施形態に係るドア１およびパネル１Ａ，１Ｂでは、人目に付く正面部分および背面部分に、平坦なメラミン樹脂板６が配置されていて、これらの正面部分および背面部分に継ぎ目は存在しないので平坦で美しい。また、部材間の継ぎ目が存在する木口９，９Ａ，９Ｂは、顔料を含有するエナメル塗膜７で被覆されているので外部から透けて見えない。そして、エナメル塗膜７は所定の膜厚で形成されているので、前記した継ぎ目を被っている部分のエナメル塗膜７に段差を生じない。従って、ドア１、パネル１Ａ，１Ｂは、あたかも一枚板で構成されているような美しい外観を呈する。
【００２８】
また、ドア１、パネル１Ａ，１Ｂのエナメル塗膜７はウレタンエナメル塗料を塗布して形成されているので、厚くて硬い塗膜を形成しやすく、耐溶剤性、耐黄変性、および耐候性が優れている。そして、これらのドア１およびパネル１Ａ，１Ｂを同時に使用してトイレブース３２を構成しているので、見た目に統一感のある美観を呈することができる。
【００２９】
尚、上記の実施形態では、部材の接着に、ポリウレタン系ホットメルト接着剤を用いたが、本考案はそれに限定されるものでなく、ポリウレタン系ホットメルト接着剤に替えて、例えばポリ酢酸ビニルエマルジョン系接着剤、ポリアクリル酸エステルエマルジョン系接着剤などを用いることができる。
【００３０】
また、木質芯材の材料および接合順は、上記のようにＭＤＦ２、ＭＤＦ３、ＬＶＬ４、およびペーパーハニカム１５の順に限るものでなく、適宜選定することができる。その場合に、ビスや釘などの利く木質芯材として、上記したＬＶＬ以外に、例えばパーチクルボードや無垢材などを使用することも可能である。
更に、上記では、トイレブースのドアやパネルを例示したが、本考案の木板部材はそれらに限られるものでなく、他の建築用板材に適用できることは言うまでもない。
【符号の説明】
【００３１】
１  ドア（木板部材）
１Ａ，１Ｂ  パネル（木板部材）
２  ＭＤＦ
３  ＭＤＦ
４  ＬＶＬ
５  ＭＤＦ（木質面材）
６  メラミン樹脂板（表面化粧板材）
７  エナメル塗膜
９，９Ａ，９Ｂ  木口
１０  枢軸
１５  ペーパーハニカム
１６  木質芯材
３２  トイレブース
３４  出入口
Ａ，Ｂ  曲面
Ｔ  膜厚
【図１】
0003156585.tif 000003
【図２】
0003156585.tif 000004
【図３】
0003156585.tif 000005
【図４】
0003156585.tif 000006
【図５】
0003156585.tif 000007
【図６】
0003156585.tif 000008
【図７】
0003156585.tif 000009
【図８】
0003156585.tif 000010